(57)【特許請求の範囲】
【請求項１】
多点での測距が可能な測距手段と、自動的に測距点を選択する測距点自動選択ＡＦと、使用者が任意に測距点を選択する測距点任意選択ＡＦの何れかを測距点設定状態として設定すると共に、前記多点の何れかの測距点を設定する測距点設定手段と、ファインダ視野外に各種状態を表示するファインダ内表示装置とを備えた光学装置において、
前記ファインダ内表示装置に、各々測距点に対応した点灯表示可能な複数の測距点表示部と、前記測距手段での測距結果を表示する合焦表示部とをそれぞれ別々に設け、
前記点灯表示可能な複数の測距点表示部は、点灯表示可能なファインダ視野枠マークにより挟まれ、
前記測距点表示部と合焦表示部により、前記測距点設定手段による測距点設定状態と、前記測距手段での合焦状態とを表示するようにし、前記測距点任意選択ＡＦが設定された場合は、選択設定された測距点に対応する測距点表示部を、少なくとも電源投入の際から前記測距手段による測距結果に基づいて合焦状態に至るまで前記ファインダ視野枠マークと共に点灯表示するようにしたことを特徴とする光学装置。
【請求項２】
前記測距点自動選択ＡＦが設定された場合は、前記測距点表示部の全てを表示するようにしたことを特徴とする請求項１記載の光学装置。
【請求項３】
前記測距点自動選択ＡＦ時における合焦時には、前記多点の測距点のうちの合焦測距点に対応した測距点表示部を表示させると共に、前記合焦表示部を点灯表示させ、非合焦時には、前記測距点表示部は全て点灯表示させたままで、前記合焦表示部を点滅表示させるようにしたことを特徴とする請求項１又は２記載の光学装置。
【請求項４】
前記測距点任意選択ＡＦ時における合焦時には、選択設定された測距点に対応する測距点表示部は点灯表示させたまま、前記合焦表示部を点灯表示させ、非合焦時には、選択設定された測距点に対応する測距点表示部は点灯表示させたまま、前記合焦表示部を点滅表示させるようにしたことを特徴とする請求項１又は２記載の光学装置。
【請求項５】
測距動作を一回の合焦状態に至ることで停止するワンショットＡＦモードと、測距対象物の移動を検出しながら測距動作を繰り返すサーボＡＦモードとを組合せたＡＦモードを持ち、前記測距点自動選択ＡＦ時において、前記ワンショットＡＦモードで合焦の後、測距対象物の移動を検出してサーボＡＦモードに移行した場合は、前記測距点表示部全てを点灯表示に切り換えると共に、前記合焦表示部は消灯させ、その後前記合焦表示部は点灯させないようにしたことを特徴とする請求項１，２又は３記載の光学装置。
【請求項６】
測距動作を一回の合焦状態に至ることで停止するワンショットＡＦモードと、測距対象物の移動を検出しながら測距動作を繰り返すサーボＡＦモードとを組合せたＡＦモードを持ち、前記測距点任意選択ＡＦ時には、前記ワンショットＡＦモードで合焦の後、測距対象物の移動を検出してサーボＡＦモードに移行した場合は、選択設定された測距点に対応する測距点表示部は点灯表示させたままで、前記合焦表示部を消灯させ、その後前記合焦表示部は点灯させないようにしたことを特徴とする請求項１，２，又は４記載の光学装置。
【発明の詳細な説明】
【０００１】
【発明の属する技術分野】
本発明は、多点での測距が可能な測距手段と、前記多点の何れかの測距点を設定する測距点設定手段と、ファインダ視野外に各種状態を表示するファインダ内表示装置とを備えた、カメラ等の光学装置に関するものである。
【０００２】
【従来の技術】
従来、多点での測距（焦点検出）が可能なカメラにおいて、カメラが自動的に測距点（焦点検出点）を設定し測距を行う自動選択ＡＦ（オートフォーカス）のみとするタイプや、撮影者が多点の中より測距点を選択設定し任意選択も可能にしたタイプが知られている。
【０００３】
自動選択ＡＦのみとするタイプのファインダ内表示例としては、図１３（ａ）の様な表示装置を持ち、測距動作確認用表示として合焦マーク１２１を使用し、測距動作中は「消灯」，測距動作で合焦時には「点灯」，非合焦時には「点滅」の様に表示変化させている。図１３（ａ）は全点灯状態を示し、図１３（ｂ）は通常撮影モード時の測距動作合焦状態を示している。
【０００４】
また、任意選択ＡＦをも可能にしたタイプのファインダ内表示としては、測距点に対応したピント板上の測距枠を測距点選択設定時や測距動作で合焦した場合などにＬＥＤにより照明し、スーパーインポーズ表示させるものがある。更に、測距点設定状態の確認は、専用測距点選択釦を押す事により、同様にスーパーインポーズされ確認出来る様になっている。
【０００５】
【発明が解決しようとする課題】
しかしながら、上記従来例において自動選択ＡＦのみとするタイプにおいては、測距点に対応した表示が無く、多点の測距点のうちどの測距点で合焦したかの判断が出来ず、撮影者が意図した被写体にピントが合っていない可能性があった。
【０００６】
又、多点での測距が可能であるのに自動選択ＡＦのみとするのは、機能低下となっている。
【０００７】
自動選択ＡＦ，任意選択ＡＦいずれも可能にしたカメラにおいては、ファインダ視野外表示器とは別に、外光が高輝度状態でもピント板上に照明出来る様な高輝度タイプのＬＥＤや専用光学系が必要となり、大幅なコストアップを招いていた。
【０００８】
又、測距動作の結果、多点の測距点のうちどの測距点で合焦したかは、合焦時のスーパーインポーズＬＥＤの点灯で判断出来るが、測距点選択状態が自動選択ＡＦか任意選択ＡＦかの確認は、専用測距点選択釦を押し、測距点選択モードに入らなければ確認出来ず、瞬時の撮影に対応出来ないものであった。
【０００９】
更に、高輝度ＬＥＤにて照明表示するため、電力消費が増加してしまうというような欠点を有していた。
【００１１】
（発明の目的）本発明の目的は、測距点選択状態が自動選択ＡＦ，任意選択ＡＦのいずれの状態であっても、専用測距点選択釦の操作をする事なく、常時かつ瞬時の当該光学装置の使用時にもファインダ内を見たままで測距点選択状態を確認させることのできる光学装置を提供することにある。
【００１６】
【課題を解決するための手段】
上記目的を達成するために、本発明は、多点での測距が可能な測距手段と、自動的に測距点を選択する測距点自動選択ＡＦと、使用者が任意に測距点を選択する測距点任意選択ＡＦの何れかを測距点設定状態として設定すると共に、前記多点の何れかの測距点を設定する測距点設定手段と、ファインダ視野外に各種状態を表示するファインダ内表示装置とを備えた光学装置において、前記ファインダ内表示装置に、各々測距点に対応した点灯表示可能な複数の測距点表示部と、前記測距手段での測距結果を表示する合焦表示部とをそれぞれ別々に設け、前記点灯表示可能な複数の測距点表示部が、点灯表示可能なファインダ視野枠マークにより挟まれ、前記測距点表示部と合焦表示部により、前記測距点設定手段による測距点設定状態と、前記測距手段での合焦状態とを表示するようにし、前記測距点任意選択ＡＦが設定された場合は、選択設定された測距点に対応する測距点表示部を、少なくとも電源投入の際から前記測距手段による測距結果に基づいて合焦状態に至るまで前記ファインダ視野枠マークと共に点灯表示するようにしている。
【００２２】
【発明の実施の形態】
以下、本発明を図示の実施の形態に基づいて詳細に説明する。
【００２３】
図１〜図１０は本発明の実施の一形態におけるカメラに係る図であり、先ず、図１の該カメラの上面図を用いて、各部の構成部品について説明する。
【００２４】
同図において、１は各種撮影モードを切り換えるモードダイヤル、２はレリーズ釦であり、半押し状態に連動してオンするスイッチＳＷ１と全押し状態でオンするスイッチＳＷ２とから成っている。３はシャッタスピードや絞り値等の設定値を変更する電子ダイヤル、４は外部表示装置であり、カメラの各種設定状態等を表示する。５は露出補正釦、６はＡＥロック釦、７は測距点選択釦、８は内蔵ストロボ使用時に用いるＳＴアップ釦、９はセルフ釦である。
【００２５】
図２は、図１に示すカメラのファインダ視野を示す図である。
【００２６】
同図において、２１は本発明に係るファインダ視野外に用いられるファインダ内表示装置で、例えば液晶表示器で構成される。２２はフォーカシングスクリーン、２３はパノラマ撮影時の指標となるパノラマフレーム、２４は部分測光範囲マーク、２５〜２７は多点の測距点に対応した測距点枠で、本実施の形態では３点測距の場合を例にしており、更に詳しくは、２５は３点測距の左測距点に対応した左測距点枠、２６は同様に中央測距点枠、２７は右測距点枠である。ここで、２３〜２７はいずれもフォーカシングスクリーン２２上にあらかじめ設けられているラインである。
【００２７】
図３は、図２に示したファインダ内表示装置２１の詳細を示す図である。
【００２８】
同図において、３１はＡＥロックマーク、３２はストロボ充電完了マーク、３３はシャッタ速度表示部、３４は絞り値表示部である。３５は測距点表示部であり、左測距点に対応した左測距点マーク３５ａ，中央測距点に対応した中央測距点マーク３５ｂ，右測距点に対応した右測距点マーク３５ｃ，ファインダ視野に対応したファインダ視野枠マーク３５ｄにより構成される。３６は露出表示部であり、露出補正量等が表示される。３７は測距動作結果の合焦，非合焦状態を表示する合焦マークであり、合焦時には「点灯」，非合焦時には「点滅」として表示している。
【００２９】
次に、上記構成におけるカメラの制御系について、図４に示すブロック図を用いて説明する。
【００３０】
同図において、４１はカメラの各種制御を行うマイクロプロセッシングユニット（以下、ＭＰＵと記す）、４２はフィルムの巻き上げや巻き戻し及びミラーのアップ・ダウン等を行うモータ制御装置、４３はシャッタ制御装置、４４は測光装置、４５は多点の測距を可能とする焦点検出装置である。４６は信号入力装置であり、図１に示したモードダイヤル１や電子ダイヤル３等の回転操作部材４７や、同じく図１に示したレリーズ釦２や測距点選択釦７等から成るスイッチ部材４８により構成される。
【００３１】
４９は発音表示装置であり、ブザーやスピーカーなどが用いられる。５０は表示装置で、その中に図１に示した外部表示装置４や図２及び図３に示したファインダ内表示装置２１がある。５３はＬＥＤ駆動装置であり、ファインダ内表示装置２１のバックライトとして構成されている。
【００３２】
５４はカメラに装置されるレンズであり、前記ＭＰＵ４１からの通信データにより制御される絞り駆動装置５５や、前記焦点検出装置４５からの情報に基づいて前記ＭＰＵ４１より送られてくる駆動量データに従ってピント合せを行うレンズ駆動装置５６等より構成される。
【００３３】
続いて、上記カメラにおける測距点選択について、図５，図６を用いて説明する。
【００３４】
図５は測距点選択釦７を押した時にファインダ内表示装置に表示される表示例を示す図であり、図３に示す測距点マーク３５ａ〜３５ｃのいずれかとファインダ視野枠マーク３５ｄのみが表示され、この状態で測距点の選択設定が可能となる。
【００３５】
図６は測距点の選択設定方法を示す図であり、ａは図５と同様、測距点マーク３５ａ〜３５ｃ全てとファインダ視野枠マーク３５ｄが点灯されている。この状態は、カメラが自動的に測距点を選択し、最適な被写体にピント合せを行う測距点自動選択ＡＦである。
【００３６】
この表示状態から電子ダイヤル３を右方向に１クリック回転させると、ｂの様に、左測距点マーク３５ａとファインダ視野枠マーク３５ｄが点灯した状態に変化する。さらに電子ダイヤル３を右方向に１クリック回転させると、ファインダ視野枠マーク３５ｄは点灯したままで中央測距点マーク３５ｂに切り換わり、さらに同操作により、右測距点マーク３５ｃに切り換わり、さらに１クリック電子ダイヤル３を右方向に回転させると、再びａの状態に戻る。又、電子ダイヤル３の左回転では、前記の逆の順に切り換わっていく。
【００３７】
同図中、ｂ〜ｄは３点の測距点のうち、撮影者が任意に測距点を選択して、その選択測距点でピント合せを行う事が出来る測距点任意選択ＡＦとして機能することになる。つまり、図６のｂの状態が選択された場合には「左測距点」で、ｃはの状態が選択された場合には「中央測距点」で、ｄの状態が選択された場合には「右測距点」で、それぞれ測距動作が行われる事になる。
【００３８】
次に、上記カメラの一連の動作について、図７及び図８のフローチャートを用いて説明する。
【００３９】
まず、図７のステップ＃１００にてカメラの電源が投入されると、ＭＰＵ４１はステップ＃１０１へ進み、レリーズ釦の半押し状態に連動してオンするスイッチＳＷ１の状態を調べ、該スイッチＳＷ１がオフであればオンになるまでこの検出を繰り返す。その後、該スイッチＳＷ１がオンになるとステップ＃１０２へ移行し、図６で説明した測距点の選択状態を確認する。
【００４０】
次にステップ＃１０３へ進み、ＭＰＵ４１は測光装置４４を起動し、ファインダ内の各領域に対応した被写体輝度を算出する。そして、次のステップ＃１０４において、算出した被写体輝度値及びカメラ内に装填されたフィルムのＩＳＯコード、あるいはレンズの開放ＦＮＯ等によりシャッタスピード、絞り値、及び上記ステップ＃１０２で確認した測距点選択状態を、外部表示装置４やファインダ内表示装置２１に表示させる。
【００４１】
図９（ａ）は測距点自動選択ＡＦに設定した場合のファインダ内表示装置２１の状態を、図９（ｄ）は測距点任意選択ＡＦに設定した場合のファインダ内表示装置２１の状態を、それぞれ示している。
【００４２】
次に、ステップ＃１０５へ進み、ここでは測距点の設定状態を判別し、もし測距点自動選択ＡＦが設定されていればステップ＃１０６に移行し、測距点任意選択ＡＦが設定されていればステップ＃１１３へ移行する。
【００４３】
ステップ＃１０６では、測距点自動選択ＡＦが設定されているので、カメラが独自に被写体像に応じて測距点を決定すると共に、その測距点に対応する測距データ（焦点検出データ）を焦点検出装置４５より得、これに基づくレンズ駆動量を算出してレンズ５４内のレンズ駆動装置５６へ駆動データとして出力し、ピント合せを行わせる。そして、次のステップ＃１０７において、この結果合焦となったかどうかを判別し、合焦となっていればピント合せ動作を停止し、レンズのフォーカス位置をロックして、次のステップ＃１０８へ移行する。
【００４４】
ステップ＃１０８では、ピントの合った合焦状態で再度測光動作を行い、最適なシャッタスピードや絞り値を求め、フォーカス位置同様、測光値をロックする。次のステップ＃１０９では、上記ステップ＃１０６，ステップ＃１０７で３点の測距点のうちのどの測距点で合焦したかの表示を外部表示装置４やファインダ内表示装置２１に行い、続くステップ＃１１０では、上記ステップ＃１０８での測光値によるシャッタスピード，絞り値の表示を同じく外部表示装置４やファインダ内表示装置２１に行うと同時に、合焦マークも表示させる。
【００４５】
この時のファインダ内表示装置２１での表示状態を示したのが図９（ｂ）であり、この例では３点の測距点のうち、中央測距点と右測距点で合焦した事を示している。
【００４６】
また、上記ステップ＃１１０とほぼ同時に、次のステップ＃１１１において発音表示装置４９により合焦した事を知らせる合焦音表示も行い、測距点自動選択ＡＦ時のワンショットＡＦ動作を完了する。
【００４７】
上記ステップ＃１０５において測距点任意選択ＡＦが設定されていた場合は、前述した様にステップ＃１１３へ移行し、ここでは撮影者により任意に選択された測距点における測距データを焦点検出装置４５より得、これに基づくレンズ駆動量を算出してレンズ５４内のレンズ駆動装置５６へ駆動データとして出力し、ピント合せを行わせる。そして、次のステップ＃１１４において、この結果合焦となったかどうかを判別し、合焦となっていればピント合せ動作を停止し、レンズのフォーカス位置をロックして、次のステップ＃１１０へ移行する。
【００４８】
ステップ＃１１０においては、上記ステップ＃１１５での測光値によるシャッタスピード、絞り値の表示を外部表示装置４やファインダ内表示装置２１に行うと同時に、合焦マークも表示させる。
【００４９】
この時のファインダ内表示装置２１での表示状態を示したのが図９（ｅ）であり、この測距点任意選択ＡＦ時には合焦時においても測距点マークは設定点のみの表示を続け、合焦マークのみの表示変化となる。
【００５０】
さらに、測距点自動選択ＡＦ時と同様にステップ＃１１１へ移行し、発音表示装置４９により合焦音表示を行い、測距点任意選択ＡＦ時のワンショットＡＦ動作を完了する。
【００５１】
また、上記ステップ＃１０７，ステップ＃１１４において合焦不能であると判別した場合は何れもステップ＃１１２へ移行し、ファインダ内表示装置２１の合焦マークを点滅させることで、その旨、つまり非合焦状態であるを事を知らせる。
【００５２】
この時のファインダ内表示装置２１における測距点自動選択ＡＦでの非合焦状態を示したのが図９（ｃ）であり、測距点任意選択ＡＦでの非合焦状態を示したのが図９（ｆ）である。これらの図から解る様に、測距点マークは設定状態のままで、合焦マークでの点滅表示で非合焦と判断する様になっている。
【００５３】
続くステップ＃１１６では、上記のロックされたフォーカス位置，測光値を撮影条件として保持するかどうかをスイッチＳＷ１の状態で判別し、次のステップ＃１１７では、その条件で露光動作を行うかどうかの判別をスイッチＳＷ２の状態を調べる。
【００５４】
ここで、スイッチＳＷ１，ＳＷ２が共にオンであれば、ステップ＃１１８の露光シーケンスへ移行し、絞り駆動装置４５，シャッタ駆動装置４３の制御を行って露光動作を行い、その後モータ制御装置４２によるフィルム巻き上げ等の動作を実行する。
【００５５】
また、上記ステップ＃１１６でスイッチＳＷ１がオフされている様な場合はステップ＃１０１へ戻り、再度スイッチＳＷ１のオンを待つが、ある一定以上該スイッチＳＷ１がオンされない場合は、不図示ではあるが、電源をオフする様になっている。
【００５６】
又、上記ステップ＃１１６にてスイッチＳＷ１がオンされているが、次のステップ＃１１７にてスイッチＳＷ２がオンになっていない様な場合は、不図示ではあるが、一定時間以上スイッチＳＷ１のみがオンされている様な状態では、図８に示すサーボＡＦモードに移行する。
【００５７】
このサーボＡＦモードへ移行した場合の動作について、図８のフローチャートを用いて説明する。
【００５８】
前述した様にステップ＃１１７以降、スイッチＳＷ１のみが一定時間以上オンされている様な場合には、図８のステップ＃２００へ移行し、ここでは再度焦点検出装置を動作させ、被写体が変化、あるいはカメラのフレーミングが変化したかのチェックを行い、その結果変化有りと判別した場合はステップ＃２０１に移行する。そして、このステップ＃２０１では、測距点の選択設定状態を確認し、もし測距点自動選択ＡＦに設定されていればステップ＃２０２へ移行し、ピントの合っている状態では無くなったので、合焦マークを消灯する。又、次のステップ＃２０３では、測距点マークを全点灯表示に切り換えサーボＡＦモードへ移行した事を知らせる。
【００５９】
この表示切り換えは、図９（ｂ）のワンショット合焦状態から、図１０（ａ）の様に行うようにしている為、測距点自動選択モードでサーボＡＦモードに移行した事を撮影者は直ちに知ることが出来る。
【００６０】
その後、ステップ＃２０４でも再度測距点自動選択ＡＦを行う。つまり、カメラが独自に被写体像に応じて測距点を決定すると共に、その測距点に対応する測距データ（焦点検出データ）を焦点検出装置４５より得、これに基づくレンズ駆動量を算出してレンズ５４内のレンズ駆動装置５６へ駆動データとして出力し、ピント合せを行わせる。
【００６１】
そして、次のステップ＃２０５では、上記のピント合わせの結果、合焦であるかの判別を行い、合焦となっていればピント合せ動作を停止し、レンズのフォーカス位置をロックして、次のステップ＃２０９へ移行し、ピントの合った合焦状態で再度測光動作を行い、最適なシャッタスピードや絞り値を求める。但し、この場合、後述する様にサーボ動作が繰り返される事もあるため、測光値のロックは行わず、露光動作にそなえ露光時の被写体輝度に最も近い測光値を得ているものである。
【００６２】
次のステップ＃２１０では、上記ステップ＃２０９での測光値によるシャッタスピードや絞り値の表示を外部表示装置４やファインダ内表示装置２１で行うが、この場合はワンショットＡＦモードと異なり、合焦測距点の測距点マーク及び合焦マークは表示しない。又、サーボＡＦモードに移行後は、以降ずっと表示しない事となる。これはサーボＡＦモードに入り、僅かな被写体の移動で合焦，非合焦を繰り返し、測距点マークや合焦マークの点灯，消灯により、非合焦状態と判別出来なくなったり、撮影者に煩わしさを与えない様にしている為である。
【００６３】
しかしながら、合焦状態である事を撮影者が判断出来る様に、次のステップ＃２１１において、発音表示装置４９にて合焦した事を知らせる合焦音表示を行わせる。但し、この場合の合焦音表示は、ワンショット合焦時の合焦音表示を行う上記ステップ＃１１１とは異なり、音圧又は音量を小さくし、小音にて知らせている。これも又、測距点マークや合焦マーク同様、撮影者に煩わしさを与えない様にしているためである。
【００６４】
又、上記ステップ＃２０１で測距点任意選択ＡＦと確認されれば、ステップ＃２０６に移行し、ステップ＃２０２と同様、ピントの合っている状態では無くなるので、ここでは合焦マークを消灯し、次のステップ＃２０７において、再度測距点任意選択ＡＦを行う。
【００６５】
このステップ＃２０６、ステップ＃２０７の間では測距点マークは設定測距点のままであるが、図９（ｅ）の状態から図１０（ｂ）の状態の様に合焦マークを消灯させているので、測距点任意選択ＡＦモードでサーボＡＦモードに移行した事を撮影者は直ちに知ることが出来る。
【００６６】
その後、ステップ＃２０７でも再度測距点任意選択ＡＦを行い、ピント合せを行い、次のステップ＃２０８において、合焦であるかの判別を行い、合焦であればレンズのフォーカス位置をロックし、測距点自動選択ＡＦ時と同様にステップ＃２０９へ移行して測光を行い、以降、表示（ステップ＃２１０），小発音表示（ステップ＃２１１）を行う。
【００６７】
次のステップ＃２１２では、スイッチＳＷ１の状態を確認し、ここでオフされれば図７のステップ＃１０１へ戻り、図７のフローチャートで説明した様な動作を行う。一方、該スイッチＳＷ１がオンのままであればステップ＃２１３へ移行し、スイッチＳＷ２の状態を確認する。この結果、オンであればステップ＃２１４において、上記ステップ＃１１８と同様の露光動作等を実行する。また、スイッチＳＷ１がオンのままで、スイッチＳＷ２が未だオフの場合はステップ＃２１３からステップ＃２００へ戻り、前述した様にサーボＡＦモード動作を繰り返し実行する事となる。
【００６８】
又、ステップ＃２０５，ステップ＃２０８で非合焦と判別した場合は、何れもステップ＃２１２へ移行し、前記と同様に、スイッチＳＷ２のオフで、スイッチＳＷ１がオンされ続けている場合はステップ＃２００に戻り、サーボＡＦモード動作を繰り返す事となる。
【００６９】
尚、図７及び図８のフローチャートから判る様に、ワンショットＡＦモードでは合焦になるまで露光動作に入らない（＃１０７又は＃１１４→＃１１２→＃１０５……）が、図８に示すサーボＡＦモードでは合焦状態で無い場合でも露光動作に入る事（＃２０５又は＃２０８→＃２１１……）となる。これは、被写体が動いているものであっても、少なからずシャッタチャンスを逃さない様にするものである。
【００７０】
上述した実施の形態によれば、ファインダ視野外のファインダ内表示装置２１上に、測距点に対応した測距点マークと、測距結果を表示する合焦マークとを設け、それらの組合せ表示により、測距点設定状態や合焦状態を表示するようにしたため、スーパーインポーズ方式の様にコストアップする事無く、低コストカメラにも応用出来、撮影者も煩わしい操作をする事無く、測距状態やＡＦモードの変化状態及び測距点の設定状態等をファインダ内を見たままで容易に確認出来、瞬時の撮影にも支障をきたす事がない。
【００７１】
さらに、スーパーインポーズ方式の様に高輝度ＬＥＤ等が不用であるため、電力の消費も少なくて済む。
【００７２】
（発明と実施の形態の対応）
上記実施の各形態において、焦点検出装置４５が本発明の測距手段に、電子ダイヤル３とＭＰＵ４１が本発明の測距点設定手段に、ファインダ内表示装置２１が本発明のファインダ内表示装置に、それぞれ相当する。
【００７３】
また、測距点マーク３５ａ〜３５ｃが本発明の測距点表示部に、合焦マーク３７が本発明の合焦表示部に、それぞれ相当する。
【００７４】
以上が実施の形態の各構成と本発明の各構成の対応関係であるが、本発明は、これら実施の形態の構成に限定されるものではなく、請求項で示した機能、又は実施の形態がもつ機能が達成できる構成であればどのようなものであってもよいことは言うまでもない。
【００７５】
（変形例）
上記の実施の形態では、ワンショットＡＦモード時は合焦状態に入るまで露光動作を受け付けない様にしたが、サーボＡＦモード時と同様、レリーズ優先としても同様な表示方法が行える。
【００７６】
動きのある被写体でも出来るだけピントの合った状態に近づける様、被写体の動きを予測し露光タイミングに合せ、フォーカス駆動を行う動体予測サーボＡＦと言われるモードもあるが、本実施の形態ではこの説明は省略するが、この様な動体予測サーボＡＦモードを持つカメラにおいても同様な表示方法として何ら問題ない。
【００７７】
又、その他のファインダ内表示装置の例として、図１１に示す様に、測距点が５点の様に増加したとしても同様な制御で行う事が出来る。
【００７８】
さらに、図１２に示す様に、シャッタスピードや絞り値等はカメラに任せ、測距点マークと合焦マークのみとする事で、更なるコストの低下が図れる。
【００７９】
また、測距点の位置や合焦表示をマーク表示により行う様にしているが、これに限定されるものではなく、例えば表示の色を変える等により行う様にしてもよい。
【００８０】
本発明は、一眼レフカメラに適用した例を想定しているが、ビデオカメラや電子スチルカメラ等の映像装置、更にはその他の光学装置にも適用可能である。
【００８１】
【発明の効果】
以上説明したように、本発明によれば、測距点選択状態が自動選択ＡＦ，任意選択ＡＦのいずれの状態であっても、専用測距点選択釦の操作をする事なく、常時かつ瞬時の当該光学装置の使用時（例えばカメラの撮影時）にもファインダ内を見たままで測距点選択状態を確認させることができるものである。
【図面の簡単な説明】
【図１】本発明の実施の一形態におけるカメラの上面図である。
【図２】図１に示すカメラのファインダ視野を示す図である。
【図３】図２に示したファインダ内表示装置２１の詳細を示す図である。
【図４】図１のカメラの制御系の構成を示すブロック図である。
【図５】図１の測距点選択釦７を押した時にファインダ内表示装置に表示される表示例を示す図である。
【図６】本実施の一形態において測距点の選択設定方法を示す図である。
【図７】図１のカメラの動作も一部を示すフローチャートである。
【図８】図７の続きの動作を示すフローチャートである。
【図９】本実施の一形態においてワンショットＡＦ時のファインダ内表示の各状態における様子を示す図である。
【図１０】本実施の一形態においてサーボＡＦ時のファインダ内表示の各状態における様子を示す図である。
【図１１】ファインダ内表示装置の他の例を示す図である。
【図１２】ファインダ内表示装置の別の例を示す図である。
【図１３】従来のカメラのファインダ内表示装置におけるファインダ内表示例を示す図である。
【符号の説明】
３              電子ダイヤル
７              測距点選択釦
２１            ファインダ内表示装置
３５ａ〜３５ｅ  測距点マーク
３５ｄ          ファインダ視野枠マーク
３７            合焦マーク
４１            ＭＰＵ
４５            焦点検出装置
【図１】
0003890098.tif 000002
【図２】
0003890098.tif 000003
【図３】
0003890098.tif 000004
【図４】
0003890098.tif 000005
【図５】
0003890098.tif 000006
【図６】
0003890098.tif 000007
【図７】
0003890098.tif 000008
【図８】
0003890098.tif 000009
【図９】
0003890098.tif 000010
【図１０】
0003890098.tif 000011
【図１１】
0003890098.tif 000012
【図１２】
0003890098.tif 000013
【図１３】
0003890098.tif 000014